【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
ＭＡＸベットランプと、
ＭＡＸベットスイッチと、
貯留数が表示され得る貯留数表示手段と、
複数のストップスイッチと、
所定の表示手段と、
抽選手段と
を備え、
遊技区間として、通常区間と有利区間とを有し、
有利区間における遊技の実行回数が所定回数となる遊技が実行されると、有利区間を終了し、
前記抽選手段により決定され得る抽選結果として、所定抽選結果と特定抽選結果とを有し、
前記所定抽選結果が決定され、遊技者の停止操作が受け付けられたことに基づいて、所定図柄組合せが停止表示され得るよう構成されており、
前記所定図柄組合せが停止表示された場合は、前記所定図柄組合せに対応した数の遊技媒体が付与され得るよう構成されており、
通常区間において前記所定抽選結果が決定された遊技では、前記所定の表示手段によって操作態様を報知せず、
有利区間において前記所定抽選結果が決定された遊技では、前記所定の表示手段によって操作態様を報知する場合を有し、
所定の状況下における第１の遊技において前記抽選手段により前記所定抽選結果が決定され、その後当該第１の遊技の次回の遊技に関するベット数が０であり、前記貯留数表示手段に貯留数の表示として所定数が表示されている特定の状況下ではＭＡＸベットランプが点灯されており、その後遊技媒体投入口に遊技媒体が１枚投入される場合において、遊技媒体投入口に当該遊技媒体が投入された以降の第１のタイミングでは、ＭＡＸベットスイッチの操作によるベットはできないがＭＡＸベットランプが点灯されており、その後の第２のタイミングでは、ＭＡＸベットスイッチの操作によるベットは可能でありＭＡＸベットランプが点灯されているよう構成されており、
前記特定抽選結果が決定され、特別図柄組合せが停止表示した場合は、特別遊技状態を開始するように構成され、
前記特定抽選結果が決定され、特別図柄組合せが停止表示しなかった場合には、特別図柄組合せを停止表示可能とする当選情報を持ち越している状態となるように構成され、
有利区間における遊技の実行回数が前記所定回数となる遊技が特別図柄組合せを停止表示可能とする当選情報を持ち越している状態で実行されたときにも、有利区間が終了するよう構成され、
有利区間における遊技の実行回数が前記所定回数となる遊技が特別遊技状態で実行され、当該遊技で特別遊技状態の終了条件を満たさなかった場合は、次回の遊技は、通常区間であり、特別遊技状態であるように構成される
ことを特徴とする回胴式遊技機。
【手続補正２】
【補正対象書類名】明細書
【補正対象項目名】０００５
【補正方法】変更
【補正の内容】
【０００５】
円滑に遊技を進行できる遊技機の提供が望まれている。
【手続補正３】
【補正対象書類名】明細書
【補正対象項目名】０００６
【補正方法】変更
【補正の内容】
【０００６】
本態様に係る回胴式遊技機は、
ＭＡＸベットランプと、
ＭＡＸベットスイッチと、
貯留数が表示され得る貯留数表示手段と、
複数のストップスイッチと、
所定の表示手段と、
抽選手段と
を備え、
遊技区間として、通常区間と有利区間とを有し、
有利区間における遊技の実行回数が所定回数となる遊技が実行されると、有利区間を終了し、
前記抽選手段により決定され得る抽選結果として、所定抽選結果と特定抽選結果とを有し、
前記所定抽選結果が決定され、遊技者の停止操作が受け付けられたことに基づいて、所定図柄組合せが停止表示され得るよう構成されており、
前記所定図柄組合せが停止表示された場合は、前記所定図柄組合せに対応した数の遊技媒体が付与され得るよう構成されており、
通常区間において前記所定抽選結果が決定された遊技では、前記所定の表示手段によって操作態様を報知せず、
有利区間において前記所定抽選結果が決定された遊技では、前記所定の表示手段によって操作態様を報知する場合を有し、
所定の状況下における第１の遊技において前記抽選手段により前記所定抽選結果が決定され、その後当該第１の遊技の次回の遊技に関するベット数が０であり、前記貯留数表示手段に貯留数の表示として所定数が表示されている特定の状況下ではＭＡＸベットランプが点灯されており、その後遊技媒体投入口に遊技媒体が１枚投入される場合において、遊技媒体投入口に当該遊技媒体が投入された以降の第１のタイミングでは、ＭＡＸベットスイッチの操作によるベットはできないがＭＡＸベットランプが点灯されており、その後の第２のタイミングでは、ＭＡＸベットスイッチの操作によるベットは可能でありＭＡＸベットランプが点灯されているよう構成されており、
前記特定抽選結果が決定され、特別図柄組合せが停止表示した場合は、特別遊技状態を開始するように構成され、
前記特定抽選結果が決定され、特別図柄組合せが停止表示しなかった場合には、特別図柄組合せを停止表示可能とする当選情報を持ち越している状態となるように構成され、
有利区間における遊技の実行回数が前記所定回数となる遊技が特別図柄組合せを停止表示可能とする当選情報を持ち越している状態で実行されたときにも、有利区間が終了するよう構成され、
有利区間における遊技の実行回数が前記所定回数となる遊技が特別遊技状態で実行され、当該遊技で特別遊技状態の終了条件を満たさなかった場合は、次回の遊技は、通常区間であり、特別遊技状態であるように構成される
ことを特徴とする回胴式遊技機である。
＜付記＞
尚、本態様とは異なる別態様について以下に列記しておくが、これらには何ら限定されることなく実施することが可能である。
本別態様に係る回胴式遊技機は、
２０個の図柄が配置された第１リールと、
２０個の図柄が配置された第２リールと、
２０個の図柄が配置された第３リールと、
当選結果を決定可能な役抽選手段と、
前記リールを制御するリール制御手段と
を有し、
前記リール制御手段は、前記役抽選手段により特定の結果が決定された遊技においては、遊技者の停止操作に基づいて特定図柄組合せを停止可能となるよう構成され、
前記特定図柄組み合わせが停止表示した場合には特別遊技が実行開始され得るよう構成されており、
前記特定図柄組み合わせを構成する前記第１リールに対応する図柄は、前記第１リールに３個配置されており、
前記特定図柄組み合わせを構成する前記第２リールに対応する図柄は、前記第２リールに４個配置されており、
前記特定図柄組み合わせを構成する前記第３リールに対応する図柄は、前記第３リールに４個配置されており、
すべての図柄組み合わせの数に対する前記特定図柄組み合わせの数の割合は、
（３×４×４）／（２０×２０×２０）＝３／５００
となっており、
前記役抽選手段により特定の結果が決定された遊技において、第１停止操作として前記第２リールが停止操作され、第２停止操作として前記第３リールが停止操作され、前記第２リール及び前記第３リールには前記特定図柄組合せに対応する図柄がそれぞれ停止され、その後の第３停止操作として特定のタイミングで前記第１リールが停止操作されて前記特定図柄組合せが表示されなかった場合には、特別遊技が実行開始されないように構成されており、
前記役抽選手段により特定の結果が決定された遊技において、第１停止操作として前記第１リールが停止操作され、当該第１リールへの所定の回転不良により前記特定図柄組合せに対応する図柄が停止されず、第２停止操作として前記第２リールが停止操作され、第３停止操作として前記第３リールが停止操作され、前記第２リール及び前記第３リールに前記特定図柄組合せに対応する図柄がそれぞれ停止された場合には、前記特定図柄組合せが表示されなくとも、特別遊技が実行開始され得るよう構成されている
ことを特徴とする。
【手続補正４】
【補正対象書類名】明細書
【補正対象項目名】０００７
【補正方法】変更
【補正の内容】
【０００７】
本態様に係る回胴式遊技機によれば、円滑に遊技を進行できる遊技機を提供することができる、という効果を奏する。